(57)【特許請求の範囲】
【請求項１】
ラックの一面から吸気を行い該一面の対向面から排気を行う電子機器を搭載したラックに対し、該一面への冷却風の送風を行う空調機の制御を行う空調システムであって、
前記電子機器からの排気温度を検出するラック排気温度検出部と、
前記空調機の吸気温度を検出する空調機戻り温度検出部と、
前記空調機から吹き出された冷却風の温度を検出する空調機吹出温度検出部と、
前記ラックが吸気する際の前記冷却風の温度を検出するラック吸気温度検出部と、
前記ラック吸気温度検出部によって検出された温度が前記空調機吹出温度検出部によって検出された温度よりも大きい場合に、前記空調機吹出温度検出部によって検出された温度と、前記ラック吸気温度検出部によって検出された温度との温度差をなくす様に前記空調機の風量を増やす制御を行い、前記ラック排気温度検出部によって検出された温度が前記空調機戻り温度検出部によって検出された温度よりも大きい場合に、前記ラック排気温度検出部によって検出された温度と、前記空調機戻り温度検出部によって検出された温度との温度差をなくす様に前記空調機の風量を減らす制御を行う風量制御部と、
を備えることを特徴とする空調システム。
【請求項２】
複数の前記ラックの各々に対し吸気温度検出部が設けられており、
前記風量制御部は、前記ラック吸気温度検出部の各々によって検出された温度のうち最も温度が高い温度と、前記空調機吹出温度検出部によって検出された前記空調機吹出温度との温度差がなくす様に前記空調機の風量を制御することを特徴とする請求項１に記載の空調システム。
【請求項３】
ラックの一面から吸気を行い該一面の対向面から排気を行う電子機器を搭載したラックに対し、該一面への冷却風の送風を行う空調機と、前記電子機器の排気を吸気する流路と、該流路から前記電子機器の吸気側への流路を有する空調機を制御する空調システムであって、
前記電子機器からの排気温度を検出するラック排気温度検出部と、
前記空調機の吸気温度を検出する空調機戻り温度検出部と、
前記空調機から吹き出された冷却風の温度を検出する空調機吹出温度検出部と、
前記ラックが吸気する際の前記冷却風の温度を検出するラック吸気温度検出部と、
前記ラック吸気温度検出部によって検出された温度が前記空調機吹出温度検出部によって検出された温度よりも大きい場合に、前記空調機吹出温度検出部によって検出された温度と、前記ラック吸気温度検出部によって検出された温度との温度差をなくす様に前記空調機の風量を増やす制御を行い、前記ラック排気温度検出部によって検出された温度が前記空調機戻り温度検出部によって検出された温度よりも大きい場合に、前記ラック排気温度検出部によって検出された温度と、前記空調機戻り温度検出部によって検出された温度との温度差をなくすように前記空調機の風量を減らす制御を行う風量制御部と、
を備えることを特徴とする空調システム。
【請求項４】
前記風量制御部は、複数のラックがある場合には、前記ラック排気温度検出部によって検出された複数のラック排気温度の平均を計算し、当該平均されたラック排気温度と前記空調機戻り温度検出部によって検出された前記空調機戻り温度とが同じ温度となるように前記空調機の風量を制御することを特徴とする請求項３に記載の空調システム。
【請求項５】
ラックの一面から吸気を行い該一面の対向面から排気を行う電子機器を搭載したラックに対し、該一面への冷却風の送風を行う空調機と、前記電子機器の排気を吸気する流路と、該流路から前記電子機器の吸気側への流路を有する空調機を制御するコンピュータが、
前記電子機器からの排気温度を検出するラック排気温度検出ステップと、
前記空調機の吸気温度を検出する空調機戻り温度検出ステップと、
空調機からラックに対して吹き出された冷却風の温度である空調機吹出温度を検出する空調機吹出温度検出ステップと、
前記ラックが吸気する際の前記冷却風の温度であるラック吸気温度を検出するラック吸気温度検出ステップと、
前記ラック吸気温度検出ステップによって検出された温度が前記空調機吹出温度検出ステップによって検出された温度よりも大きい場合に、前記空調機吹出温度検出ステップによって検出された前記空調機吹出温度と、前記ラック吸気温度検出ステップによって検出された前記ラック吸気温度とが同じ温度となるように前記空調機の風量を増やす制御を行い、前記ラック排気温度検出ステップによって検出された温度が前記空調機戻り温度検出ステップによって検出された温度よりも大きい場合に、前記ラック排気温度検出ステップによって検出された温度と、前記空調機戻り温度検出ステップによって検出された温度との温度差をなくす様に前記空調機の風量を減らす制御を行う風量制御ステップと、
を実行することを特徴とする空調制御方法。
【請求項６】
ラックの一面から吸気を行い該一面の対向面から排気を行う電子機器を搭載したラックに対し、該一面への冷却風の送風を行う空調機と、前記電子機器の排気を吸気する流路と、該流路から前記電子機器の吸気側への流路を有する空調機を制御するコンピュータに、
前記電子機器からの排気温度を検出するラック排気温度検出ステップと、
前記空調機の吸気温度を検出する空調機戻り温度検出ステップと、
空調機からラックに対して吹き出された冷却風の温度である空調機吹出温度を検出する空調機吹出温度検出ステップと、
前記ラックが吸気する際の前記冷却風の温度であるラック吸気温度を検出するラック吸気温度検出ステップと、
前記ラック吸気温度検出ステップによって検出された温度が前記空調機吹出温度検出ステップによって検出された温度よりも大きい場合に、前記空調機吹出温度検出ステップによって検出された前記空調機吹出温度と、前記ラック吸気温度検出ステップによって検出された前記ラック吸気温度とが同じ温度となるように前記空調機の風量を増やす制御を行い、前記ラック排気温度検出ステップによって検出された温度が前記空調機戻り温度検出ステップによって検出された温度よりも大きい場合に、前記ラック排気温度検出ステップによって検出された温度と、前記空調機戻り温度検出ステップによって検出された温度との温度差をなくす様に前記空調機の風量を減らす制御を行う風量制御ステップと、
を実行させることを特徴とする空調制御プログラム。
【発明の詳細な説明】
【技術分野】
【０００１】
本発明は、空調機の風量を制御する空調システム、空調制御方法および空調制御プログラムに関する。
【背景技術】
【０００２】
近年、データセンタやサーバルームと呼ばれる空間に、サーバやネットワーク機器などのＩＴ機器が積み重ねられたラックが設置されている。ＩＴ機器は、ＣＰＵなどの機能部品を有しており、電力を消費して発熱するため、ＩＴ機器を一定温度以下に維持して動作保障を行う必要がある。このため、空調機から冷却風を送風してラック内のＩＴ機器を冷却する空調システムが利用されている。
【０００３】
ここで、空調システムにおける空気の循環について説明する。まず、空調機が冷却風を吹き出して、ラックに冷却風を供給する。そして、ラック内のＩＴ機器が内蔵しているファンが冷却風を吸気し、ＣＰＵなどの機能部品を冷却して、ＩＴ機器の熱を奪った比較的高温の排熱風がＩＴ機器背面の吐き出し口から排気される。その後、排気された空気を空調機が取り込む。
【０００４】
このような空調システムにおいて、ラックに搭載されているＩＴ機器の高発熱密度化に伴い、ラックあたりの発熱量が増加する傾向にあり、ラックの排気回り込みによるホットスポットの発生が問題となっている。つまり、データセンタにおけるホットスポットは、ＩＴ機器が冷却に使用する風量に対して、空調機から供給される比較的低温の冷却風が不足することによって発生することが多い。例えば、ラックに対する供給風量が不足した場合には、ラック自らまたは隣接するラックからの比較的高温の排気によってその不足分を補おうとするため、ラックの吸気温度が上昇する。
【０００５】
このようなホットスポットを防止するための技術として、空調機を増設して冷却風の風量を増加させて、ホットスポット発生を抑える方法が考えられる。また、ホットスポット発生箇所近傍に局所空調機を設置して、ホットスポット発生を抑える技術も知られている（例えば、特許文献１参照）。
【０００６】
また、ホットスポットを防止する技術として、排気の拡散するためのアイルキャッピングを設置して、冷却風が循環するクールアイルと排熱風が循環するホットアイルとを区切り、ホットスポット発生を抑える技術が知られている（例えば、特許文献２、３参照）。また、局所空調機とアイルキャッピングを組み合わせ、データセンタ内に１つの閉じた空間を設けることで、ホットスポット発生を抑える技術が知られている（例えば、特許文献４、５参照）。
【０００７】
また、ラックの吸気温度状況を監視し、再循環指標や予め用意したテンプレート値との比較によってホットスポットの発生有無を検出し、空調機の風量や温度を制御する技術が知られている（例えば、特許文献６、７参照）。
【先行技術文献】
【特許文献】
【０００８】
【特許文献１】特開２００６−１１４６６９号公報
【特許文献２】特開２００４−１８４０７０号公報
【特許文献３】特開２００５−２６０１４８号公報
【特許文献４】特表２００６−５２６２０５号公報
【特許文献５】特表２００８−５０２０８２号公報
【特許文献６】特表２００６−５０４９１９号公報
【特許文献７】特表２００７−５０５２８５号公報
【発明の概要】
【発明が解決しようとする課題】
【０００９】
しかしながら、上記した空調機を増設または局所空調機を設置する技術では、増設された空調機や新設された局所空調機を稼動させるために、消費電力が増加する結果、効率的にラックを冷却することができないという問題があった。
【００１０】
また、上記したアイルキャッピングを設置する技術では、冷却風が循環するクールアイルと排熱風が循環するホットアイルとを区切っているが、ラックが冷却に使用する風量である必要風量と空調機から供給される供給風量とのバランスを考慮していない。このため、例えば、供給された冷却風の風量が不足している場合には、排熱風がクールアイル側に流れ込み、ラック３を適切に冷却することができないという問題があった。
【００１１】
また、上記したラックの吸気温度状況を監視してホットスポットの発生有無を検出し、風量制御を行う技術では、温度上昇が起こって初めて風量制御を実施するので、急激に温度が上昇した場合には、対応が遅れてしまい、適切にラックを冷却することができないという問題があった。
【００１２】
そこで、この発明は、上述した従来技術の課題を解決するためになされたものであり、ラックが冷却に使用する風量である必要風量と空調機から供給される供給風量とのバランスを取ることで、空調機の無駄な冷却風を削減して効率的にラックを冷却するとともに、ラックを適切に冷却することを目的とする。
【課題を解決するための手段】
【００１３】
上述した課題を解決し、目的を達成するため、このシステムは、空調機から吹き出された冷却風の温度と、ラックが吸気する際の冷却風の温度とを検出する。そして、空調機から吹き出された冷却風の温度とラックが吸気する際の冷却風の温度との温度差をなくす様に前記空調機の風量を制御する。
【００１４】
また、このシステムは、空調機から吹き出された冷却風を吸気したラックから排気された排熱風の温度であるラック排気温度と、空調機が取り込む際の排熱風の温度である空調機戻り温度を検出する。そして、ラック排気温度と、空調機戻り温度とが同じ温度となるように空調機の風量を制御する。
【発明の効果】
【００１５】
開示のシステムは、空調機の無駄な冷却風を削減して効率的にラックを冷却するとともに、ラックを適切に冷却するという効果を奏する。
【図面の簡単な説明】
【００１６】
【図１】図１は、実施例１に係る空調システムの構成を示すブロック図である。
【図２】図２は、実施例２に係る空調システムの構成を示すブロック図である。
【図３】図３は、実施例２に係る空調制御部の構成を示すブロック図である。
【図４】図４は、実施例２に係る空調システムの処理手順を説明するためのフローチャートである。
【図５】図５は、実施例３に係る空調システムの構成を示すブロック図である。
【図６】図６は、風量制御プログラムを実行するコンピュータを示す図である。
【発明を実施するための形態】
【００１７】
以下に添付図面を参照して、この発明に係る空調システム、空調制御方法および空調制御プログラムの実施例を詳細に説明する。
【実施例１】
【００１８】
以下の実施例では、実施例１に係る空調システムの構成および処理の流れを説明し、最後に実施例１による効果を説明する。
【００１９】
まず最初に、図１を用いて、実施例１に係る空調システムの構成を説明する。図１は、実施例１に係る空調システムの構成を説明するための図である。
【００２０】
図１に示すように、実施例１の空調システム１は、ラック３に対して冷却風を送風する空調機２、空調機２からの冷却風を吸気して排熱風を排気するラック３、温度を検出する各温度検出部４Ａ〜４Ｄ、空調機２の風量を制御する風量制御部５を有する。なお、図１では、黒の矢印が冷却風の流れを示し、白の矢印が排熱風の流れを示している。
【００２１】
空調機吹出温度検出部４Ａは、空調機２から吹き出された冷却風の温度を検出する。ラック吸気温度検出部４Ｂは、ラック３が吸気する際の冷却風の温度を検出する。
【００２２】
風量制御部５は、空調機吹出温度検出部４Ａによって検出された温度と、ラック吸気温度検出部４Ｂによって検出された温度との温度差をなくす様に空調機２の風量を制御する。
【００２３】
例えば、ラック３が吸気する際の冷却風が空調機２から吹き出された冷却風の温度よりも大きい場合には、風量が不足していると判断し、温度差をなくすように、空調機２の風量をアップさせる。
【００２４】
また、ラック排気温度検出部４Ｃは、空調機２から吹き出された冷却風を吸気したラック３から排気された排熱風の温度であるラック排気温度を検出する。空調機戻り温度検出部４Ｄは、空調機２が取り込む際の排熱風の温度である空調機戻り温度を検出する。
【００２５】
風量制御部５は、ラック排気温度検出部４Ｃによって検出されたラック排気温度と、空調機戻り温度検出部４Ｄによって検出された空調機戻り温度とが同じ温度となるように空調機２の風量を制御する。
【００２６】
例えば、ラック排気温度が空調機戻り温度よりも大きいと判定された場合には、冷却風が過剰な状態であるために、冷却する必要のない排熱風までも冷却している状態であると判断し、ラック排気温度と空調機戻り温度とが同じ温度となるように空調機２の風量をダウンさせる。
【００２７】
このように、空調システム１は、ラック３が冷却に使用する風量である必要風量と空調機２から供給される供給風量とのバランスを取ることで、空調機の無駄な冷却風を削減して効率的にラックを冷却するとともに、ラックを適切に冷却することが可能である。
【実施例２】
【００２８】
以下の実施例では、実施例２に係る空調システム１００の構成および処理の流れを順に説明し、最後に実施例２による効果を説明する。
【００２９】
［空調システムの構成］
次に、図２を用いて、実施例２に係る空調システム１００の構成を説明する。図２は、実施例２に係る空調システム１００の構成を示すブロック図である。同図に示すように、この空調システム１００は、空調機２、ラック３、風量制御部１０、各温度計２０Ａ〜２０Ｄ、排気導風路３０、通気孔４０を有し、風量制御部１０と各温度計２０Ａ〜２０ＤとがＬＡＮを介して接続されている。
【００３０】
また、空調システム１００は、床下フロアおよび床上フロアを有する二重床構成となっており、床上フロアにラック３が設置されている。また、空調システム１００では、空調機２から送風された冷却風が床下フロアを通って、ラック３に冷気供給される。なお、図２では、黒の矢印が冷却風の流れを示し、白の矢印が排熱風の流れを示している。
【００３１】
空調機２は、ラック３に対して冷却風を吹き出すとともに、ラック３が排気した排熱風を取り込む。具体的には、空調機２は、床下フロアに冷却風を吹き出すことで、床上フロアに設置されたラック３に冷却風を供給する。ラック３は、ＩＴ機器を搭載し、空調機２によって供給された冷却風を吸気するとともに、排熱風を床上フロアに排気する。
【００３２】
排気導風路３０は、ホットアイルとクールアイルを分離するための構造体である。ここで、ホットアイルとは、ラックが設置された床上フロアの空間のうち、ラック３の排熱だけを集めた空間である。図２の例では、白の矢印で示す排熱風が循環している空間である。また、クールアイルとは、空調機２が送風した冷却風だけを集めた空間である。図２の例では、黒の矢印が示す冷却風が循環している空間である。通気孔４０は、ホットアイルの空気とクールアイルの空気とを通気させるための孔である。
【００３３】
空調機吹出温度計２０Ａは、空調機からラックに対して吹き出された冷却風の温度である空調機吹出温度を検出する。ラック吸気温度計２０Ｂは、ラックが吸気する際の冷却風の温度であるラック吸気温度を検出する。ラック排気温度計２０Ｃは、冷却風を吸気したラック３から排気された排熱風の温度であるラック排気温度を検出する。空調機戻り温度検出計２０Ｄは、空調機２が取り込む際の排熱風の温度である空調機戻り温度を検出する。
【００３４】
空調制御部１０は、各温度計２０Ａ〜２０Ｄによって計測された温度に応じて、空調機２の風量を制御する。ここで、図３を用いて、空調制御部１０の詳しい構成について説明する。図３は、実施例２に係る空調制御部の構成を示すブロック図である。図３に示すように、空調制御部１０は、温度判定部１０ａおよび風量制御部１０ｂを有する。
【００３５】
温度判定部１０ａは、ラック排気温度計２０Ｃによって検出されたラック排気温度が空調機戻り温度計２０Ｄによって検出された空調機戻り温度よりも大きいか判定する。また、温度判定部１０ａは、ラック吸気温度検出計２０Ｂによって検出されたラック吸気温度が空調機吹出温度計２０Ａによって検出された空調機吹出温度よりも大きいか判定する。
【００３６】
具体的には、温度判定部１０ａは、各温度計２０Ａ〜２０Ｄによって計測された温度の情報をＬＡＮを介してリアルタイムに取得している。そして、温度判定部１０ａは、ラック排気温度計２０Ｃによって検出されたラック排気温度「Ｔｒ  ｏｕｔ」が空調機戻り温度計２０Ｄによって検出された空調機戻り温度「Ｔａｃ  ｉｎ」よりも大きいか判定するために、「Ｔｒ  ｏｕｔ」−「Ｔａｃ  ｉｎ」＞０の条件を満たしているか判定する。
【００３７】
この結果、温度判定部１０ａは、「Ｔｒ  ｏｕｔ」−「Ｔａｃ  ｉｎ」＞０であると判定した場合には、空調機風量をダウンする旨の指示を風量制御部１０ｂに通知する。また、温度判定部１０ａは、「Ｔｒ  ｏｕｔ」−「Ｔａｃ  ｉｎ」＞０でないと判定した場合には、ラック吸気温度「Ｔｒ  ｉｎ」が空調機吹出温度「Ｔａｃ  ｏｕｔ」よりも大きいか判定するために、「Ｔｒ  ｉｎ」−「Ｔａｃ  ｏｕｔ」＞０の条件を満たしているか判定する。
【００３８】
この結果、温度判定部１０ａは、「Ｔｒ  ｉｎ」−「Ｔａｃ  ｏｕｔ」＞０であると判定した場合には、空調機風量をアップする旨の指示を風量制御部１０ｂに通知する。また、温度判定部１０ａは、「Ｔｒ  ｉｎ」−「Ｔａｃ  ｏｕｔ」＞０でないと判定した場合には、風量を制御する処理を行わない。
【００３９】
風量制御部１０ｂは、空調機吹出温度計２０Ａによって検出された空調機吹出温度と、ラック吸気温度計２０Ｂによって検出されたラック吸気温度とが同じ温度となるように空調機２の風量を制御する。また、風量制御部１０ｂは、ラック排気温度計２０Ｃによって検出されたラック排気温度と、空調機戻り温度計２０Ｄによって検出された空調機戻り温度とが同じ温度となるように空調機２の風量を制御する。
【００４０】
具体的には、風量制御部１０ｂは、ラック排気温度が空調機戻り温度よりも大きいと判定した温度判定部１０ａから空調機風量をダウンする旨の指示を受け付けた場合には、空調機２の風量をダウンするように制御する。
【００４１】
また、風量制御部１０ｂは、ラック吸気温度が空調機吹出温度よりも大きいと判定した温度判定部１０ａから空調機２の風量をアップする旨の指示を受信した場合には、空調機２の風量をアップするように制御する。
【００４２】
つまり、空調制御部１０は、ラック排気温度が空調機戻り温度よりも大きいと判定された場合には、冷却風が過剰な状態であると判断する。例えば、図２の例を挙げて説明すると、ラック排気温度が空調機戻り温度よりも大きい場合には、ラック排気温度が通気孔４０から流れてきた冷却風（図２の例では、（ａ）の矢印）に冷やされたと考えられ、冷却風が過剰な状態にある。
【００４３】
このため、空調制御部１０は、空調機２の風量をダウンするように制御することで、ホットアイルにおける排熱風の風量とクールアイルにおける冷却風の風量とのバランスを取って、省エネルギー化を図ることが可能である。
【００４４】
なお、通気孔４０から流れてきた冷却風の影響でなく、ラックから排気された排熱風の温度が空調機２に取り込まれるまでの間に低下することも考えられるので、ラック排気温度「Ｔｒ  ｏｕｔ」が空調機戻り温度計２０Ｄによって検出された空調機戻り温度「Ｔａｃ  ｉｎ」よりも所定の閾値以上であるか判定するようにしてもよい。
【００４５】
例えば、空調制御部１０は、所定の閾値として「２℃」を設定した場合には、「Ｔｒ  ｏｕｔ」−「Ｔａｃ  ｉｎ」≧２℃の条件を満たしているか判定する。この結果、空調制御部１０は、「Ｔｒ  ｏｕｔ」−「Ｔａｃ  ｉｎ」≧２℃の場合には、風量をダウンする。
【００４６】
また、空調制御部１０は、ラック吸気温度が空調機吹出温度よりも大きい場合には、冷却風の風量が不足している状態であると判断する。例えば、図２の例を挙げて説明すると、ラック吸気温度が空調機吹出温度よりも大きい場合には、冷却風の風量が不足しているため、通気孔４０から排熱風（図２の例では、（ｂ）の矢印）が流れてきて、冷却風が温められたと考えられ、冷却風が不足している状態である。
【００４７】
このため、空調制御部１０は、空調機２の風量をアップするように制御することで、ホットアイルにおける排熱風の風量とクールアイルにおける冷却風の風量とのバランスを取って、ラック３を適切に冷却することが可能である。
【００４８】
なお、通気孔４０から流れてきた排熱風の影響でなく、空調機２から吹き出された冷却風がラック３に吸気するまでの間に上昇することも考えられるので、ラック吸気温度「Ｔｒ  ｉｎ」が空調機吹出温度「Ｔａｃ  ｏｕｔ」よりも所定の閾値以上であるか判定するようにしてもよい。
【００４９】
例えば、空調制御部１０は、所定の閾値として「２℃」を設定した場合には、「Ｔｒ  ｉｎ」−「Ｔａｃ  ｏｕｔ」≧２℃の条件を満たしているか判定する。この結果、空調制御部１０は、「Ｔｒ  ｉｎ」−「Ｔａｃ  ｏｕｔ」≧２℃の場合には、風量をアップする。
【００５０】
また、図２の例では、一つの空調機２に対して一つのラック３を冷却する場合の例で説明したが、通常の空調システムでは、一つの空調機２に対して複数のラック３を冷却する場合が多い。このような場合には、各ラックにラック吸気温度計２０Ｂおよびラック排気温度計２０Ｃをそれぞれ設置する。そして、空調制御部１０は、各ラックのラック吸気温度計２０Ｂおよびラック排気温度計２０Ｃから温度情報をリアルタイムに取得する。
【００５１】
ここで、空調制御部１０は、各ラック３のラック排気温度の平均を算出し、算出された値をラック排気温度とする。そして、空調制御部１０は、算出されたラック排気温度の平均と空調機戻り温度とが同じ温度となるように空調機２の風量を制御する。
【００５２】
また、空調制御部１０は、各ラック３のラック吸気温度のなかで最も高いものをラック吸気温度とする。そして、空調制御部１０は、最も高いラック吸気温度と空調機吹出温度とが同じ温度となるように空調機２の風量を制御する。つまり、複数のラック３がある場合には、全てのラックを適切に冷却する必要があるため、ラック吸気温度が最も高いラックに合わせて各ラックを冷却する。
【００５３】
［空調システムによる処理］
次に、図４を用いて、実施例２に係る空調システム１００による処理を説明する。図４は、実施例２に係る空調システムの処理手順を説明するためのフローチャートである。
【００５４】
同図に示すように、空調システム１００のラック排気温度計２０Ｃは、空調機２から吹き出された冷却風を吸気したラック３から排気された排熱風の温度であるラック排気温度「Ｔｒ  ｏｕｔ」を検出する。また、空調機戻り温度検出計２０Ｄは、空調機２が取り込む際の排熱風の温度である空調機戻り温度「Ｔａｃ  ｉｎ」を検出する（ステップＳ１０１）。
【００５５】
そして、空調制御部１０は、「Ｔｒ  ｏｕｔ」−「Ｔａｃ  ｉｎ」＞０の条件を満たしているか判定する（ステップＳ１０２）。この結果、空調制御部１０は、「Ｔｒ  ｏｕｔ」−「Ｔａｃ  ｉｎ」＞０であると判定した場合には（ステップＳ１０２肯定）、空調機風量をダウンするように空調機２を制御する（ステップＳ１０３）。
【００５６】
また、「Ｔｒ  ｏｕｔ」−「Ｔａｃ  ｉｎ」＞０でないと判定した場合には（ステップＳ１０２否定）、空調機吹出温度計２０Ａは、空調機２からラック３に対して吹き出された冷却風の温度である空調機吹出温度「Ｔｒ  ｏｕｔ」を検出する。また、ラック吸気温度計２０Ｂは、ラック３が吸気する際の冷却風の温度であるラック吸気温度「Ｔａｃ  ｉｎ」を検出する（ステップＳ１０４）。
【００５７】
その後、空調制御部１０は、「Ｔｒ  ｏｕｔ」−「Ｔａｃ  ｉｎ」＞０の条件を満たしているか判定する（ステップＳ１０５）。この結果、空調制御部１０は、「Ｔｒ  ｏｕｔ」−「Ｔａｃ  ｉｎ」＞０であると判定した場合には（ステップＳ１０５肯定）、空調機風量をアップするように空調機２を制御する（ステップＳ１０６）。また、空調制御部１０は、「Ｔｒ  ｏｕｔ」−「Ｔａｃ  ｉｎ」＞０でないと判定した場合には（ステップＳ１０５否定）、空調機風量を変えずにＳ１０１に戻る。
【００５８】
[実施例２の効果]
上述してきたように、空調システム１００では、空調機からラックに対して吹き出された冷却風の温度である空調機吹出温度を検出し、ラックが吸気する際の冷却風の温度であるラック吸気温度を検出する。そして、検出された空調機吹出温度と、検出されたラック吸気温度とが同じ温度となるように空調機の風量を制御する。このため、空調システム１００では、ラック冷却に使用する風量である必要風量と空調機から供給される供給風量とのバランスを取ることで、空調機の無駄な冷却風を削減して効率的にラックを冷却するとともに、ラックを適切に冷却することが可能である。
【００５９】
また、実施例２によれば、空調システム１００では、ラック吸気温度検出部によって検出されたラック吸気温度が空調機吹出温度よりも大きいか判定し、ラック吸気温度が空調機吹出温度よりも大きいと判定された場合には、空調機の風量を増やす。つまり、ラック吸気温度が空調機吹出温度よりも大きい場合には、冷却風の風量が不足しているため、通気孔から排熱風が流れてきて、冷却風が温められたと考えられ、冷却風が不足している状態である。
【００６０】
このため、空調制御部１０は、空調機２の風量をアップするように制御することで、ラック冷却に使用する風量である必要風量と空調機から供給される供給風量とのバランスを取って、ラックを適切に冷却することが可能である。
【００６１】
また、実施例２によれば、空調システム１００では、複数のラックがある場合には、複数のラック吸気温度のうち最も温度が高いラック吸気温度と空調機吹出温度とが同じ温度となるように空調機の風量を制御する。このため、空調機の無駄な冷却風を削減して効率的に複数のラックを冷却するとともに、複数のラックを適切に冷却することが可能である。
【００６２】
また、実施例２によれば、空調システム１００では、空調機から吹き出された冷却風を吸気したラックから排気された排熱風の温度であるラック排気温度を検出し、空調機が取り込む際の排熱風の温度である空調機戻り温度を検出し、ラック排気温度と空調機戻り温度とが同じ温度となるように空調機の風量を制御する。このため、空調システム１００では、ラック冷却に使用する風量である必要風量と空調機から供給される供給風量とのバランスを取ることで、空調機の無駄な冷却風を削減して効率的にラックを冷却するとともに、ラックを適切に冷却することが可能である。
【００６３】
また、実施例２によれば、空調システム１００では、検出されたラック排気温度が空調機戻り温度よりも大きいか判定し、ラック排気温度が空調機戻り温度よりも大きいと判定された場合には、空調機の風量を減らすように制御する。つまり、ラック排気温度が空調機戻り温度よりも大きい場合には、ラック排気温度が通気孔４０から流れてきた冷却風（図２の例では、（ａ）の矢印）に冷やされたと考えられ、冷却風が過剰な状態にある。
【００６４】
このため、空調システム１００では、空調機の風量をダウンするように制御することで、ラック冷却に使用する風量である必要風量と空調機から供給される供給風量とのバランスを取って、空調機の無駄な冷却風を削減して効率的にラックを冷却することが可能である。
【００６５】
また、実施例２によれば、空調システム１００では、複数のラックがある場合には、検出された複数のラック排気温度の平均を計算し、平均されたラック排気温度と空調機戻り温度とが同じ温度となるように空調機の風量を制御する。このため、空調機の無駄な冷却風を削減して効率的に複数のラックを冷却するとともに、複数のラックを適切に冷却することが可能である。
【実施例３】
【００６６】
さて、これまで本発明の実施例について説明したが、本実施例は上述した実施例以外にも、種々の異なる形態にて実施されてよいものである。そこで、以下では実施例３として本発明に含まれる他の実施例を説明する。
【００６７】
（１）局所空調機
上記の実施例２では、メインの空調機の風量を制御する場合を説明したが、本実施例はこれに限定されるものではなく、メインの空調機よりも比較的小型の空調機である局所空調機を設置した場合には、局所空調機の風量を制御するようにしてもよい。
【００６８】
そこで、以下の実施例３では、局所空調機の風量を制御する場合として、図５を用いて、実施例３に係る空調システムの構成を説明する。図５は、実施例３に係る空調システムの構成を示すブロック図である。
【００６９】
図５に例示するように、実施例３に係る空調システム１００Ａでは、局所空調機２Ａがラックの上部に設置されている。また、ホットアイルとクールアイルを分離するための排気導風路３０は、局所空調機２Ａの下部に設置されている。なお、局所空調機２Ａは、局所空調機２Ａがラックの上部に限らず、ホットスポットの発生箇所近傍に設置して、冷房能力や風量を補強することが可能である。また、空調制御部１０および各温度計２０Ａ〜２０Ｄの処理については、実施例２と同様である。
【００７０】
（２）システム構成等
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。例えば、温度判定部１０ａと風量制御部１０ｂを統合してもよい。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【００７１】
（３）プログラム
また、上記の実施例１で説明した風量制御部５の各種の処理は、あらかじめ用意されたプログラムをパーソナルコンピュータやワークステーションなどのコンピュータシステムで実行することによって実現することができる。そこで、以下では、図６を用いて、上記の実施例１と同様の機能を有する風量制御プログラムを実行するコンピュータの一例を説明する。図６は、風量制御プログラムを実行するコンピュータを示す図である。
【００７２】
同図に示すように、風量制御装置としてのコンピュータ６００は、ＲＡＭ６１０、ＣＰＵ６２０、ＨＤＤ６３０および温度センサ６４０をバスなどで接続して構成される。
【００７３】
ここで、温度センサ６４０は、空調機の吹出温度、空調機の戻り空気温度、ラックの吸気温度、ラックの排気温度を検出する。ＨＤＤ６３０は、ＣＰＵ６２０による各種処理の実行に必要な情報を記憶する。ＲＡＭ６１０は、各種情報を一時的に記憶する。ＣＰＵ６２０は、各種演算処理を実行する。
【００７４】
そして、ＨＤＤ６３０には、図６に示すように、上記の実施例１に示した、割込みコントローラの各処理部と同様の機能を発揮する風量制御プログラム６１１があらかじめ記憶されている。なお、この風量制御プログラム６１１を適宜分散させて、ネットワークを介して通信可能に接続された他のコンピュータの記憶部に記憶させておくこともできる。
【００７５】
そして、ＣＰＵ６２０が、この風量制御プログラム６１１をＨＤＤ６３０から読み出してＲＡＭ６１０に展開する。そして、風量制御プログラム６１１は、各種データをＨＤＤ６３０から読み出して、ＲＡＭ６１０において自身に割り当てられた領域に展開し、この展開したデータ等に基づいて各種処理を実行する。
【００７６】
なお、上記した風量制御プログラム６１１については、必ずしも最初からＨＤＤ６３０に記憶させておく必要はなく、例えば、コンピュータ６００に挿入されるフレキシブルディスク（ＦＤ）、ＣＤ−ＲＯＭ、ＤＶＤディスク、光磁気ディスク、ＩＣカードなどの「可搬用の物理媒体」、さらには、公衆回線、インターネット、ＬＡＮ、ＷＡＮなどを介してコンピュータ６００に接続される「他のコンピュータ（またはサーバ）」などに各プログラムを記憶させておき、コンピュータ６００がこれらから各プログラムを読み出して実行するようにしてもよい。
【００７７】
以上の実施例１〜３を含む実施形態に関し、更に以下の付記を開示する。
【００７８】
（付記１）ラックの一面から吸気を行い該一面の対向面から排気を行う電子機器を搭載したラックに対し、該一面への冷却風の送風を行う空調機の制御を行う空調システムであって、
前記空調機から吹き出された冷却風の温度を検出する空調機吹出温度検出部と、
前記ラックが吸気する際の前記冷却風の温度を検出するラック吸気温度検出部と、
前記空調機吹出温度検出部によって検出された温度と、前記ラック吸気温度検出部によって検出された温度との温度差をなくす様に前記空調機の風量を制御する風量制御部と、
を備えることを特徴とする空調システム。
【００７９】
（付記２）前記風量制御部は、前記ラック吸気温度検出部によって検出された温度が前記空調機吹出温度検出部によって検出された温度よりも大きい場合に、前記空調機の風量を増やすように制御することを特徴とする付記１に記載の空調システム。
【００８０】
（付記３）複数の前記ラックの各々に対し吸気温度検出部が設けられており、
前記風量制御部は、前記ラック吸気温度検出部の各々によって検出された温度のうち最も温度が高い温度と、前記空調機吹出温度検出部によって検出された前記空調機吹出温度との温度差がなくす様に前記空調機の風量を制御することを特徴とする付記１または２に記載の空調システム。
【００８１】
（付記４）ラックの一面から吸気を行い該一面の対向面から排気を行う電子機器を搭載したラックに対し、該一面への冷却風の送風を行う空調機と、前記電子機器の排気を吸気する流路と、該流路から前記電子機器の吸気側への流路を有する空調機を制御する空調システムであって、
前記電子機器からの排気温度を検出するラック排気温度検出部と、
前記空調機の吸気温度を検出する空調機戻り温度検出部と、
前記ラック排気温度検出部によって検出された温度と、前記空調機戻り温度検出部によって検出された温度との温度差をなくすように前記空調機の風量を制御する風量制御部と、
を備えることを特徴とする空調システム。
【００８２】
（付記５）前記ラック排気温度検出部によって検出された温度が前記空調機戻り温度検出部によって検出された温度よりも大きい場合に、前記空調機の風量を減らすように制御することを特徴とする付記４に記載の空調システム。
【００８３】
（付記６）前記風量制御部は、複数のラックがある場合には、前記ラック排気温度検出部によって検出された複数のラック排気温度の平均を計算し、当該平均されたラック排気温度と前記空調機戻り温度検出部によって検出された前記空調機戻り温度とが同じ温度となるように前記空調機の風量を制御することを特徴とする付記４または５に記載の空調システム。
【００８４】
（付記７）前記風量制御部は、前記空調機として、ホットスポットの発生箇所近傍に設置された局所空調機の風量を制御することを特徴とする付記１〜６のいずれか一つに記載の空調システム。
【００８５】
（付記８）ラックの一面から吸気を行い該一面の対向面から排気を行う電子機器を搭載したラックに対し、該一面への冷却風の送風を行う空調機と、前記電子機器の排気を吸気する流路と、該流路から前記電子機器の吸気側への流路を有する空調機を制御するコンピュータが、
空調機からラックに対して吹き出された冷却風の温度である空調機吹出温度を検出する空調機吹出温度検出ステップと、
前記ラックが吸気する際の前記冷却風の温度であるラック吸気温度を検出するラック吸気温度検出ステップと、
前記空調機吹出温度検出ステップによって検出された前記空調機吹出温度と、前記ラック吸気温度検出ステップによって検出された前記ラック吸気温度とが同じ温度となるように前記空調機の風量を制御する風量制御ステップと、
を実行することを特徴とする空調制御方法。
【００８６】
（付記９）ラックの一面から吸気を行い該一面の対向面から排気を行う電子機器を搭載したラックに対し、該一面への冷却風の送風を行う空調機と、前記電子機器の排気を吸気する流路と、該流路から前記電子機器の吸気側への流路を有する空調機を制御するコンピュータが、
空調機から吹き出された冷却風を吸気したラックから排気された排熱風の温度であるラック排気温度を検出するラック排気温度検出ステップと、
前記空調機が取り込む際の前記排熱風の温度である空調機戻り温度を検出する空調機戻り温度検出ステップと、
前記ラック排気温度検出ステップによって検出された前記ラック排気温度と、前記空調機戻り温度検出ステップによって検出された前記空調機戻り温度とが同じ温度となるように前記空調機の風量を制御する風量制御ステップと、
を実行することを特徴とする空調制御方法。
【００８７】
（付記１０）ラックの一面から吸気を行い該一面の対向面から排気を行う電子機器を搭載したラックに対し、該一面への冷却風の送風を行う空調機と、前記電子機器の排気を吸気する流路と、該流路から前記電子機器の吸気側への流路を有する空調機を制御するコンピュータに、
空調機からラックに対して吹き出された冷却風の温度である空調機吹出温度を検出する空調機吹出温度検出ステップと、
前記ラックが吸気する際の前記冷却風の温度であるラック吸気温度を検出するラック吸気温度検出ステップと、
前記空調機吹出温度検出ステップによって検出された前記空調機吹出温度と、前記ラック吸気温度検出ステップによって検出された前記ラック吸気温度とが同じ温度となるように前記空調機の風量を制御する風量制御ステップと、
を実行させることを特徴とする空調制御プログラム。
【００８８】
（付記１１）ラックの一面から吸気を行い該一面の対向面から排気を行う電子機器を搭載したラックに対し、該一面への冷却風の送風を行う空調機と、前記電子機器の排気を吸気する流路と、該流路から前記電子機器の吸気側への流路を有する空調機を制御するコンピュータに、
空調機から吹き出された冷却風を吸気したラックから排気された排熱風の温度であるラック排気温度を検出するラック排気温度検出ステップと、
前記空調機が取り込む際の前記排熱風の温度である空調機戻り温度を検出する空調機戻り温度検出ステップと、
前記ラック排気温度検出ステップによって検出された前記ラック排気温度と、前記空調機戻り温度検出ステップによって検出された前記空調機戻り温度とが同じ温度となるように前記空調機の風量を制御する風量制御ステップと、
を実行させることを特徴とする空調制御プログラム。
【符号の説明】
【００８９】
１、１００  空調システム
２  空調機
３  ラック
４Ａ  空調機吹出温度検出部
４Ｂ  ラック吸気温度検出部
４Ｃ  ラック排気温度検出部
４Ｄ  空調機戻り温度検出部
１０  空調制御部
１０ａ  温度判定部
１０ｂ  風量制御部
３０  排気導風路
４０  通気孔
【図１】
0005402306.tif 000002
【図２】
0005402306.tif 000003
【図３】
0005402306.tif 000004
【図４】
0005402306.tif 000005
【図５】
0005402306.tif 000006
【図６】
0005402306.tif 000007